(57)【特許請求の範囲】
【請求項１】
洗浄水給水手段から洗浄水を便器に供給し、便器を洗浄して汚物をサイホン作用により排出する水洗大便器であって、
ボウル形状の汚物受け面及び上縁部にあるリム部を備えたボウル部と、
このボウル部の下方にその入口が接続され汚物を排出する排水トラップ管路と、
この排水トラップ管路入口の近傍で且つ上記ボウル部下方に形成された溜水部と、
上記ボウル部のリム部の後方側に設けられ上記ボウル部に洗浄水をボウル部の前方に向けて吐水して旋回流を形成するリム吐水部と、
上記洗浄水給水手段から上記リム吐水部を経由してボウル部へ洗浄水を供給する洗浄水導水路と、を有し、
上記洗浄水導水路のリム吐水部下流側の近傍の外側側面は、リム吐水部から吐水される洗浄水の一部を上記溜水部に向けて流れる下降流とするための平面視で所定の角度だけ内側にその上流端から下流端までほぼ直線状に傾いたガイド部を形成しており、このガイド部は、洗浄水導水路のリム吐水部の上流から下流に向けて延びる領域に形成され、少なくともガイド部の下流端は、上記ボウル部に露出されて形成されていることを特徴とする水洗大便器。
【請求項２】
洗浄水給水手段から洗浄水を便器に供給し、便器を洗浄して汚物をサイホン作用により排出する水洗大便器であって、
ボウル形状の汚物受け面及び上縁部にあるリム部を備えたボウル部と、
このボウル部の下方にその入口が接続され汚物を排出する排水トラップ管路と、
この排水トラップ管路入口の近傍で且つ上記ボウル部下方に形成された溜水部と、
上記ボウル部のリム部の後方側に設けられ上記ボウル部に洗浄水をボウル部の前方に向けて吐水して旋回流を形成するリム吐水部と、
上記洗浄水給水手段から上記リム吐水部を経由してボウル部へ洗浄水を供給する洗浄水導水路と、を有し、
上記洗浄水導水路のリム吐水部の近傍の外側側面は、リム吐水部から吐水される洗浄水の一部を上記溜水部に向けて流れる下降流とするための平面視で所定の角度だけ内側にほぼ直線状に傾いたガイド部を形成しており、上記リム吐水部は、上記ガイド部の上流端と下流端との間に位置するようになっていることを特徴とする水洗大便器。
【請求項３】
上記ガイド部は、洗浄水導水路のリム吐水部の上流から下流に向けて延びる領域に形成され、ガイド部の下流端は、上記ボウル部に露出されて形成されている請求項２記載の水洗大便器。
【請求項４】
上記洗浄水導水路のガイド部が形成された領域の下面が、所定の大きさの曲率半径で内側に傾斜して形成されている請求項１乃至３の何れか１項に記載の水洗大便器。
【請求項５】
上記ガイド部とは左右方向逆側の上記溜水部の側面には、洗浄水が溜水部で旋回することを規制し且つ上記洗浄水の下降流を上記排水トラップ管路の入口に押し込むための前後方向に延びる段部が形成されている請求項１乃至４の何れか１項に記載の水洗大便器。
【請求項６】
上記ガイド部の上記角度は、１０〜１４度である請求項１乃至５の何れか１項に記載の水洗大便器。
【請求項７】
上記ガイド部の流れ方向の長さは、３０〜４０ｍｍである請求項１乃至６の何れか１項に記載の水洗大便器。
【請求項８】
上記洗浄水給水手段により便器に供給される洗浄水の量は、３．２〜４．０リットルである請求項１乃至７の何れか１項に記載の水洗大便器。
【発明の詳細な説明】
【技術分野】
【０００１】
本発明は、水洗大便器に係り、特に、洗浄水を便器に供給して便器を洗浄して汚物をサイホン作用により排出する水洗大便器に関する。
【背景技術】
【０００２】
近年、水洗大便器においては、節水化に伴って、洗浄水が排水トラップへ押し込まれる時間やサイホン作用に要する時間を短縮して効率的に汚物を排出することが重要となっている。
【０００３】
この節水化を達成するために、例えば、特許文献１に示されているように、洗浄水を便器のボウル部に供給するために設けられたリム吐水口を扁平形状とし、リム吐水口から吐水された洗浄水を旋回流と下降流に分流し、旋回流によりボウル部を洗浄し、下降流により溜水面に浮遊する汚物等を排水トラップ管路内へ押し込むことにより、汚物等を排出するようにした水洗大便器が知られている。
【先行技術文献】
【特許文献】
【０００４】
【特許文献１】特開２０１０‐３１５５１号公報
【発明の概要】
【発明が解決しようとする課題】
【０００５】
しかしながら、更なる節水化が進むと、上述した特許文献１の水洗大便器においては、旋回流の勢いが強いため旋回流の継続時間がその分長くなり、また、下降流の形成が十分ではないので、洗浄水を排水トラップ管路へ押し込むタイミングが遅くなる。
一方、節水化により洗浄水量が少ない水洗大便器の場合には、サイホン作用の継続時間が短くなるため、サイホン作用の発生タイミングとほぼ同時に、溜水面内の汚物等を含む洗浄水を排水トラップ管路へ押し込む必要がある。
しかしながら、上述した従来の水洗大便器では、サイホン発生タイミングから遅れて洗浄水を排水トラップ管路へ押し込むため、節水化に対応するためには、更なる、改善が必要であった。
【０００６】
そこで、本発明は、従来からの要請を満たすためになされたものであり、洗浄水量を少なくしても、十分な洗浄効果を得ることができる水洗大便器を提供することを目的としている。
【課題を解決するための手段】
【０００７】
上記の目的を達成するために、本発明は、洗浄水給水手段から洗浄水を便器に供給し、便器を洗浄して汚物をサイホン作用により排出する水洗大便器であって、ボウル形状の汚物受け面及び上縁部にあるリム部を備えたボウル部と、このボウル部の下方にその入口が接続され汚物を排出する排水トラップ管路と、この排水トラップ管路入口の近傍で且つボウル部下方に形成された溜水部と、ボウル部のリム部の後方側に設けられボウル部に洗浄水をボウル部の前方に向けて吐水して旋回流を形成するリム吐水部と、洗浄水給水手段からリム吐水部を経由してボウル部へ洗浄水を供給する洗浄水導水路と、を有し、洗浄水導水路のリム吐水部下流側の近傍の外側側面は、リム吐水部から吐水される洗浄水の一部を溜水部に向けて流れる下降流とするための平面視で所定の角度だけ内側にその上流端から下流端までほぼ直線状に傾いたガイド部を形成しており、このガイド部は、洗浄水導水路のリム吐水部の上流から下流に向けて延びる領域に形成され、少なくともガイド部の下流端は、上記ボウル部に露出されて形成されていることを特徴としている。
このように構成された本発明によれば、洗浄水導水路のリム吐水部の近傍の外側側面が、所定の角度だけ内側にほぼ直線状に傾いたガイド部を形成しているので、リム吐水部から吐水される洗浄水の一部は、リム部に沿って旋回する旋回流となり、残りは溜水部へ向かって流れる下降流となり、旋回流と下降流の２つ主流に分水される。この旋回流は、ボウル部の汚物受け面に付着した汚物等を洗浄して溜水部へ導き、下降流は、旋回流の勢いを弱め、これにより、溜水部の水面に浮遊している汚物等を排水トラップ管路へ比較的短時間で導き、その結果、本発明によれば、洗浄水量が少なくサイホン作用の継続時間が短くても、サイホン作用の発生タイミングに合わせて、汚物等を効果的に排出することができる。さらに、ガイド部が、洗浄水導水路のリム吐水部の上流から下流に向けて延びる領域に形成され、ガイド部の下流端は、ボウル部に露出されて形成されているので、リム吐水部から吐水された洗浄水の大半を下降流とすることができ、この下降流により、旋回流の勢いが弱まり、これにより、溜水部の水面に浮遊している汚物等を排水トラップ管路へ比較的短時間で導きくことができる。
また、上記の目的を達成するために、本発明は、洗浄水給水手段から洗浄水を便器に供給し、便器を洗浄して汚物をサイホン作用により排出する水洗大便器であって、ボウル形状の汚物受け面及び上縁部にあるリム部を備えたボウル部と、このボウル部の下方にその入口が接続され汚物を排出する排水トラップ管路と、この排水トラップ管路入口の近傍で且つボウル部下方に形成された溜水部と、ボウル部のリム部の後方側に設けられボウル部に洗浄水をボウル部の前方に向けて吐水して旋回流を形成するリム吐水部と、洗浄水給水手段からリム吐水部を経由してボウル部へ洗浄水を供給する洗浄水導水路と、を有し、洗浄水導水路のリム吐水部の近傍の外側側面は、リム吐水部から吐水される洗浄水の一部を溜水部に向けて流れる下降流とするための平面視で所定の角度だけ内側にほぼ直線状に傾いたガイド部を形成しており、上記リム吐水部は、上記ガイド部の上流端と下流端との間に位置するようになっていることを特徴としている。
このように構成された本発明によれば、洗浄水導水路のリム吐水部の近傍の外側側面が、所定の角度だけ内側にほぼ直線状に傾いたガイド部を形成しているので、リム吐水部から吐水される洗浄水の一部は、リム部に沿って旋回する旋回流となり、残りは溜水部へ向かって流れる下降流となり、旋回流と下降流の２つ主流に分水される。この旋回流は、ボウル部の汚物受け面に付着した汚物等を洗浄して溜水部へ導き、下降流は、旋回流の勢いを弱め、これにより、溜水部の水面に浮遊している汚物等を排水トラップ管路へ比較的短時間で導き、その結果、本発明によれば、洗浄水量が少なくサイホン作用の継続時間が短くても、サイホン作用の発生タイミングに合わせて、汚物等を効果的に排出することができる。
【０００８】
本発明において、好ましくは、ガイド部は、洗浄水導水路のリム吐水部の上流から下流に向けて延びる領域に形成され、ガイド部の下流端は、ボウル部に露出されて形成されている。
このように構成された本発明によれば、ガイド部が、洗浄水導水路のリム吐水部の上流から下流に向けて延びる領域に形成され、ガイド部の下流端は、ボウル部に露出されて形成されているので、リム吐水部から吐水された洗浄水の大半を下降流とすることができ、この下降流により、旋回流の勢いが弱まり、これにより、溜水部の水面に浮遊している汚物等を排水トラップ管路へ比較的短時間で導きくことができる。
【０００９】
本発明において、好ましくは、洗浄水導水路のガイド部が形成された領域の下面が、所定の大きさの曲率半径で内側に傾斜して形成されている。
このように構成された本発明によれば、洗浄水導水路のガイド部が形成された領域の下面が所定の大きさの曲率半径で内側に傾斜して形成されているので、リム吐水部から吐水された洗浄水の大半を下降流とすることができ、この下降流により、旋回流の勢いが弱まり、これにより、溜水部の水面に浮遊している汚物等を排水トラップ管路へ比較的短時間で導きくことができる。
【００１０】
本発明において、好ましくは、ガイド部とは左右方向逆側の溜水部の側面には、洗浄水が溜水部で旋回することを規制し且つ洗浄水の下降流を排水トラップ管路の入口に押し込むための前後方向に延びる段部が形成されている。
このように構成された本発明によれば、ガイド部とは左右方向逆側の溜水部の側面には、前後方向に延びる段部が形成されているので、この段部により、洗浄水が溜水部で旋回することが規制され、さらに、洗浄水の下降流を排水トラップ管路の入口に押し込むので、洗浄水量が少なくサイホン作用の継続時間が短くても、サイホン作用発生タイミングに合わせて、短時間で、汚物等を排水トラップ管路に誘導することができる。
【００１１】
本発明において、好ましくは、ガイド部の上記角度は、１０〜１４度である。
【００１２】
本発明において、好ましくは、ガイド部の領域の流れ方向の長さは、３０〜４０ｍｍである。
【００１３】
本発発明において、好ましくは、洗浄水給水手段により便器に供給される洗浄水の量は、３．２〜４．０リットルである。
【発明の効果】
【００１４】
本発明の水洗大便器によれば、洗浄水量を少なくしても、十分な洗浄効果を得ることができる。
【図面の簡単な説明】
【００１５】
【図１】本発明の実施形態による水洗大便器を示す縦断面図である。
【図２】図１に示す水洗大便器の平面図である。
【図３】図２のＡ部の拡大平面図である。
【図４】図２のIV−IV線に沿って見た縦断面図である。
【発明を実施するための形態】
【００１６】
以下、添付図面を参照して、本発明の実施形態による水洗大便器を説明する。図１は本発明の実施形態による水洗大便器を示す縦断面図であり、図２は図１に示す水洗大便器の平面図である。
先ず、図１及び図２に示すように、本発明の実施形態による水洗大便器１は、便器本体２と、この便器本体２の後部に取り付けられた洗浄水を貯水して給水する貯水タンク４とを備えている。この貯水タンク４の下部には排水弁６が設けられ、この排水弁６を開操作することにより便器本体２へ洗浄水が供給されるようになっている。
【００１７】
便器本体２の前方上部にはボウル部８が形成され、後方上部には洗浄水の共通導水路１０が形成され、この共通導水路１０は、その下流側で、後述するリム吐水口に洗浄水を導くリム導水路１２と、ゼット吐水口に洗浄水を導くゼット導水路１４とに分岐して形成されている。さらに、ボウル部８の下方には排水トラップ管路１６が形成されている。
【００１８】
ボウル部８は、汚物受け面１８と、その上縁部に形成されたリム部２０を備え、リム部２０の内周面は、洗浄水が外に飛び出さないようにオーバーハングした形状となっている。また、ボウル部８下方には、溜水部２２が形成されている。
上述した排水トラップ管路１６は、溜水部２２の下方に開口した入口１６ａと、この入口１６ａから上昇して後方に延びる上昇路１６ｂと、この上昇路１２ｂから下方に延びる下降路１６ｃとから形成されており、下降路１６ｃの下端は、排水ソケット（図示せず）を介して床下の排出管（図示せず）に接続されている。
【００１９】
便器本体２前方から見て、ボウル部８の前方から見て左側のリム部２０の後方側には、単一のリム吐水口２４が形成され、このリム吐水口２４から便器本体２の後方から前方に向けて洗浄水が吐水されるようになっている。また、ボウル部８の下方に位置する溜水部２２に開口し且つ排水トラップ管路１６の入口１６ａに対向するゼット吐水口２６が形成され、このゼット吐水口２６から、排水トラップ管路１６の入口１６ａに向かって洗浄水が吐水されるようになっている。
【００２０】
ここで、本実施形態による水洗便器１において、リム吐水口２４から吐水される洗浄水量は、０．４６〜０．５リットル（実施形態では０．５リットル）であり、ゼット吐水口２６から吐水される洗浄水量は、１．８４〜２．０リットル（実施形態では２．０リットル）であり、これらの両方の吐水口から吐水される洗浄水量及び封水のために洗浄後に封水を行なうためにリム吐水口２４から溜水部２２に吐水される洗浄水量の合計洗浄水量は、３．２〜４．０リットルである。なお、リム吐水口２４からの洗浄水量と、ゼット吐水口２６からの洗浄吐水量は、２０％：８０％が好ましい。
【００２１】
次に、図３及び図４により、便器本体２のリム導水路１２及びリム吐水口２４の構造を詳細に説明する。図３は図２のＡ部の拡大平面図であり、図４は図２のIV−IV線に沿って見た縦断面図である。
図３及び図４に示すように、リム導水路１２の下流側には、ガイド部２８が形成され、このガイド部２８の上流端２８ａと下流端２８ｂのほぼ中央に上述したリム吐水口２４が位置するようになっており、ガイド部２８の下流端２８ｂは、外部に露出している。
【００２２】
具体的に言えば、ガイド部２８は、リム導水路１２のリム吐水口２４の近傍の外側側面に形成され、さらに、図３に示すように、ガイド部２８の下流側に連続するリム部２０の側面に対して、平面視で、角度αだけ、内側に傾斜し、長さＬを有し、ほぼ直線状に形成されている。このガイド部２８の傾斜角度αは、１０〜１４度が好ましく、また、長さＬは、３０〜４０ｍｍが好ましい。また、リム吐水口２４からガイド部２８の上流端２８ａまでの距離Ｅは、１０〜２９ｍｍが好ましい。
【００２３】
さらに、図４に示すように、リム導水路１２のガイド部２８が形成される領域の下面１２ａは、曲率半径Ｒの円弧形状に形成されている。ここで、このリム導水路１２の下面１２ａの曲率半径Ｒは、３５〜４５ｍｍが好ましい。
このように、リム導水路１２のリム吐水口２４の近傍にガイド部２８を形成することにより、リム吐水口２４から吐水された洗浄水は、図２に示すように、その一部は、リム部２０に沿って旋回する旋回流Ｃとなり、ボウル部８の汚物受け面１８に付着した汚物等を洗浄する。リム吐水口２４から吐水された洗浄水の残りは、直接溜水部２２へ流れる下降流Ｄとなる。このように、リム吐水口２４から吐出される洗浄水は、旋回流Ｃと下降流Ｄとに分流される。
【００２４】
次に、図１及び図２に戻り、ボウル部８の形状について説明する。図１及び図２に示すように、ボウル部８の前方から見て右側の溜水部２２の側面には、前後方向に延びる段部３０が形成されている。このボウル部８に形成された段部３０により、洗浄水が溜水部２２で旋回することが止めることができ、さらに、洗浄水の下降流Ｄを排水トラップ管路１６の入口１６ａに誘導されるようになっている。
【００２５】
次に、上述した本発明の実施形態による水洗大便器の動作（作用）を説明する。先ず、使用者が、便器洗浄のための操作レバー（図示せず）を操作すると、貯水タンク４に設けられた排水弁６が開き、貯水タンク４内の洗浄水が共通導水路１０内に流入する。洗浄水は、共通導水路１０から、リム導水路１０とゼット導水路１２に分かれ、リム吐水口２４からボウル部８に向けて洗浄水が吐水され、ほぼ同じタイミングで、ゼット吐水口２６から洗浄水が、排水トラップ管路１６の入口１６ａに向けて吐水される。
【００２６】
ゼット吐水口２６から吐水された洗浄水は、溜水部２２内に存在する洗浄水と共に、排水トラップ管路１６に流入し、排水トラップ管路１６を満水にして、サイホン作用を発生させる。このサイホン作用により、後述する溜水部２２に集められた汚物等を排出することになる。
【００２７】
一方、リム吐水口２４から、吐水された洗浄水は、リム導水路１２のリム吐水口２４の近傍に設けられた所定の角度（実施形態では７度）だけ内側に傾いたガイド部２８に沿って流れ、これにより、リム吐水口２４から吐水される洗浄水の一部は、旋回流Ｃとなり、リム部２０に沿って旋回し、残りは下降流Ｄとなって直接溜水部２２へ流れる。この旋回流Ｃは、ボウル部８の汚物受け面に付着した汚物等を効果的に溜水部２２へ誘導し、下降流Ｄは、溜水部２２の水面に浮遊している汚物等を排水トラップ管路１６へ比較的短時間で導く。
【００２８】
本実施形態の水洗大便器においては、リム導水路１２に設けられたガイド部２８を内側に傾け、さらに、リム導水路１２のガイド部２８が形成された領域の下面１２ａが所定の大きさの曲率半径（実施形態では３０ｍｍ）で形成されているため、リム吐水口２４から吐水される洗浄所定の内、旋回流Ｃとなる洗浄水量は、比較的少なくなり、一方、下降流Ｄとなる洗浄水量は、比較的多くなる。その結果、旋回流Ｃの勢いは、弱くなり、ボウル部８内を旋回する時間も短くなる。また、旋回流Ｃが、溜水部２２において、ボウル部８に設けられた段部３０に衝突して、旋回流Ｃの勢いが弱くなる。さらに、旋回流Ｃは、溜水部２２で、下降流Ｄと衝突するため、これによっても、旋回流Ｃの旋回流の勢いは、弱められる。このようにして、旋回流Ｃの勢いが弱くなった分だけ、洗浄水の排水トラップ管路１６内に押し込まれるタイミングが早くなる。
【００２９】
リム吐水口２４から吐水された下降流Ｄは、比較的に洗浄水量が多いため、溜水部２２の水面に浮遊している汚物等を排水トラップ管路１６へ比較的短時間で導く。さらに、下降流Ｄは、ボウル部８に形成された段部３０に衝突して、排水トラップ管路１６の方向にガイドされ、それにより、さらに、溜水部２２の水面に浮遊している汚物等を排水トラップ管路１６へより短時間で導く。
以上説明したように、本実施形態による水洗大便器１によれば、溜水部２２に集まった汚物等を、従来よりも、短時間で、排水トラップ管路１６に押し込むことができる。その結果、洗浄水量が節水化により少なくなり、サイホン作用の継続時間が短くなっても、サイホン作用の発生タイミングに合わせて、溜水部２２の汚物等を排水トラップ管路１６に押し込むことができるので、汚物等を効果的に排出することができる。
【００３０】
本発明は、上述した実施形態に限定されず、例えば、貯水タンクを使用しない、直圧式水洗大便器や、フラッシュバルブを使用した水洗大便器にも適用可能である。さらに、リム導水路内にディストリビュータを配置し、このディストリビュータによりリム吐水口に洗浄水を供給するようにしても良い。
【符号の説明】
【００３１】
１  水洗大便器
２  便器本体
４  貯水タンク
６  排水弁
８  ボウル部
１０  共通導水路
１２  リム導水路
１２ａ  下面
１４  ゼット導水路
１６  排水トラップ管路
１８  汚物受け面
２０  リム部
２２  溜水部
２４  リム吐水口
２６  ゼット吐水口
２８  ガイド部
２８ａ  上流端
２８ｂ  下流端
３０  段部
【図１】
0005971612.tif 000002
【図２】
0005971612.tif 000003
【図３】
0005971612.tif 000004
【図４】
0005971612.tif 000005